(57)【要約】    【課題】  非冷領域に補助陳列棚を支持した場合においても冷気エアカーテンの形成を妨げることが無く、また、簡易な作業により棚板を立上げ状態で安定的に支持することを可能とし、さらに、商品陳列室の底板と同程度の陳列スペースを確保することのできる補助陳列棚装置を提供する。    【解決手段】  補助陳列棚装置１の可動棚２を支持する左右の支持脚３，３は、各ステー４，５の一端が、受け部材６，７に対して軸支されるとともに、他端に備えられた支持ピン８が受け部材９，１０の立上り片に設けられた案内溝１１に沿って摺動可能に挿嵌されている。案内溝１１は、前後方向に略水平に延長するとともに、前後両端から斜め上方又は斜め下方に延長する係止溝部１１ａ，１１ｂを有し、各ステー４，５の支持ピン８が各係止溝部１１ａ，１１ｂのそれぞれに位置することにより、可動棚２が上昇位置，下降位置のそれぞれに支持可能となっている。【選択図】      図１
2005288036.tif 000002
【特許請求の範囲】
【請求項１】
上面側を開口した冷凍・冷蔵ショーケースの商品陳列室内に設置する補助陳列棚装置であって、
前記補助陳列棚装置（１）は、可動棚（２）と、当該可動棚（２）を昇降可能に支持する支持脚（３）とからなり、
前記支持脚（３）は、一端が前記可動棚（２）又は商品陳列室上の受け部材（７）に軸支されるとともに、他端側に設けられた摺動部材（８）により、前記可動棚（２）又は商品陳列室上の受け部材（１０）に形成された案内溝（１１）に案内させて前記可動棚（２）を昇降可能とする第１，第２のステー（４，５）を備え、前記案内溝（１１）に形成された係止溝部（１１ｂ）に前記摺動部材（８）を係止させて、上昇位置での支持を可能としたことを特徴とする補助陳列棚装置。
【請求項２】
前記支持脚は、前記第１，第２のステーの中間部近傍を連結軸により回動可能に連結して構成したことを特徴とする請求項１に記載の補助陳列棚装置。
【請求項３】
前記案内溝は、前記可動棚を上昇位置で支持するための複数の係止溝部を備えることを特徴とする請求項１又は２のいずれかに記載の補助陳列棚装置。
【請求項４】
前記可動棚は、所定位置に操作孔を設けることを特徴とする請求項１〜３のいずれかに記載の補助陳列棚装置。
【請求項５】
前記可動棚は、前端部に商品落下防止用のガード板を設けることを特徴とする請求項１〜４のいずれかに記載の補助陳列棚装置。
【発明の詳細な説明】
【技術分野】
【０００１】
本発明は、冷凍・冷蔵ショーケースの商品収納部内に設置する補助陳列棚装置に関する。
【背景技術】
【０００２】
従来より、スーパーマーケット等のセルフサービス方式の食品販売店では、上面を開口して箱形に形成された商品陳列室と、この商品陳列室を適度な高さに保つ台座部とから構成された平型ショーケースが利用されている。
このような平型ショーケースにおいて、商品の陳列量の変化又は催事的な販売形態等に対応するための補助陳列棚として、従来、商品陳列室の底板の後部両側に設けられたガイド溝に案内されて旋回する４本のステーにより、棚板を立上げ・折畳み可能とした構成が公知となっている（例えば、特許文献１，２参照。）。
【特許文献１】特開２０００−０６０６９０号公報
【特許文献２】特開２０００−１１６４７３号公報
【発明の開示】
【発明が解決しようとする課題】
【０００３】
しかし、前記特許文献１に記載の補助陳列棚は、棚板を立上げ状態において安定的に支持するために、棚板の一部を後面塞ぎ板として構成するとともに、後面塞ぎ板と商品陳列室の背面板とを吸着させるマグネットを備えることとしていた。従って、棚板を商品陳列室上の非冷領域まで立上げることとした場合には、後面塞ぎ板が背面板上部にある冷気の吹出口を塞ぐこととなり、冷気エアカーテンの形成を妨げることとなっていた。特に、商品陳列室の一部のみに補助陳列棚を立上げた場合には、他の部分については通常と同様に冷却を行うことが必要となるが、冷気エアカーテンに乱れが生じた場合には、商品陳列室内の適切な冷却を行うことができなくなるという問題があった。
一方、前記特許文献２に記載の補助陳列棚では、４本のステーのみで棚板を立上げ状態に支持することを可能としているが、立上げ状態とする場合には、ステーと棚板等とをボルト及びナットで遊着することとしていたため、立上げ作業が煩雑なものとなっていた。
また、前記各特許文献に記載の構成では、商品陳列室の底板に設けられた案内溝に規制された４本のステーにより、斜め後方に立上がる構成となっていたため、商品陳列室の底板よりも狭い陳列スペースしか確保できないという問題があった。
【０００４】
本発明は、前記課題を解決するためのものであり、非冷領域に補助陳列棚を支持した場合においても冷気エアカーテンの形成を妨げることが無く、また、簡易な作業により棚板を立上げ状態で安定的に支持することを可能とし、さらに、商品陳列室の底板と同程度の陳列スペースを確保することのできる補助陳列棚装置を提供することを目的とする。
【課題を解決するための手段】
【０００５】
上記の課題を解決するため本発明は、上面側を開口した冷凍・冷蔵ショーケースの商品陳列室内に設置する補助陳列棚装置であって、前記補助陳列棚装置は、可動棚と、一端が前記可動棚又は商品陳列室上の受け部材に軸支されるとともに、他端側に設けられた摺動部材により、前記可動棚又は商品陳列室上の受け部材に形成された案内溝に案内されて前記可動棚を昇降可能とするとともに、前記案内溝に形成された係止溝部に前記摺動部材を係止させて、上昇位置での支持を可能とした支持脚とからなることを特徴とする。
また、前記支持脚は、前記可動棚及び受け部材にそれぞれ軸支された２本のステーで構成し、当該ステーの中間部を連結軸により回動可能に連結して構成したことを特徴とする。
また、前記案内溝は、前記可動棚を上昇位置で支持するための複数の係止溝部を備えることを特徴とする。
また、前記可動棚には、所定位置に指等を入れて引上げるための操作孔を設けること及び前端部に商品落下防止用のガード板を設けることが好ましい。
【発明の効果】
【０００６】
以上のように、本発明の補助陳列棚装置によれば、次のような効果を奏する。
（１）当該案内溝により摺動部材を案内させて可動棚を昇降可能に構成するとともに、案内溝の係止溝部に摺動部材を係止させることにより可動棚を上昇位置で支持可能としたので、簡易な作業により可動棚を安定的に支持することが可能となる。
（２）また、支持脚のみにより可動棚を支持することが可能となり、可動棚を商品陳列室上方の非冷領域に支持した場合であっても、冷気エアカーテンの形成を妨げることが無くなる。
（３）また、支持脚の摺動部材を規制する案内溝を、受け部材に形成することとしたので、商品陳列室底板の加工が不要となり、既存のショーケースに対し、そのまま設置して使用することが可能となる。
（４）また、左右の支持脚を、それぞれ２本のステー４，５の中間部を連結軸により回動可能に連結して構成しているので、垂直方向への上昇が可能となるため、商品陳列室底板と略同程度の陳列スペースを確保することが可能となる。
（５）また、案内溝の係止溝部を複数形成することにより、多段階での支持位置の変更が可能となる。
（６）また、可動棚に指等を入れて引上げるための操作孔を設けることにより、作業性が向上するとともに、可動棚と商品陳列室側壁との間に手等を差入れるための隙間を形成する必要が無くなる。
（７）また、可動棚の前端部にガード板を設けることにより、可動棚を上昇位置において傾斜状態で支持させたような場合であっても、商品の落下，転倒等を適切に防止することが可能となる。
【発明を実施するための最良の形態】
【０００７】
以下、本発明の一実施の形態に係る補助陳列棚装置について図面に基づき説明する。
図１は本実施の形態に係る補助陳列棚装置を示す斜視図、図２はショーケースの商品陳列室内に補助陳列棚装置を設置した状態を示す側断面図、図３は補助陳列棚装置における可動棚の昇降動作を示す側面図、図４は図３の各状態における案内溝内の摺動部材の動作を示す図である。
【０００８】
本実施の形態に係る補助陳列棚装置１は、図２に示すようにショーケース２０の商品陳列室２１内に設置して使用されるものであり、図１に示すように、可動棚２と、当該可動棚２を昇降可能に支持する左右の支持脚３，３とから構成されている。
可動棚２は、図２に示すようにショーケース２０の商品陳列室２１の底板２１ａと略同程度の大きさの方形の板状部材で構成されており、下面側の四隅端部近傍が支持脚３，３で支持されている。可動棚２の略中央及び前端側の夫々の左右端近傍に、後述する昇降操作を行うための操作孔２ａ，・・・を設けている。また、可動棚２の前端部には、商品の落下，転倒防止用のガード板２ｂを設けている。
左右の支持脚３，３は、それぞれ２本のステー４，５の中間部近傍を連結軸により回動可能に連結して構成している。各ステー４，５の一端は、可動棚２の下面後端側の受け部材６又は商品陳列室２１の底板２１ａ上に載置される受け部材７に対して、ボルト，ナット等により軸支されている。一方、各ステー４，５の他端には、摺動部材としてボルトとナット等により構成された支持ピン８が備えられており、当該支持ピン８が、可動棚２の下面前端側に備えられた受け部材９又は底板２１ａ上に載置される受け部材１０の立上り片に設けられた案内溝１１に沿って摺動可能に挿嵌されている。なお、各ステー４，５には、左右の支持脚３，３間を横架する複数の補強部材が設けられている。
案内溝１１は、図３，４に示すように、前後方向に略水平に延長するとともに、前後両端から斜め上方又は斜め下方に延長する係止溝部１１ａ，１１ｂを有し、各ステー４，５の支持ピン８が各係止溝部１１ａ，１１ｂのそれぞれに位置することにより、折畳み状態又は立上げ状態での支持が可能となる。
【０００９】
本実施の形態に係る補助陳列棚装置１を使用するショーケース２０は、例えば、図２に示すように、上面を開口して箱形に形成された商品陳列室２１と、この商品陳列室を適度な高さに保つ台座部２２とから構成されている。台座部２２には、冷凍機等の各機器が内蔵されている。
商品陳列室２１は、一体発泡パネル構造の断熱壁２３で囲まれており、当該断熱壁２３と商品陳列２１との間には、所定空間を設けて冷気の循環ダクト２４が形成されている。
循環ダクト２４内には、冷却器及び送風機（図示は省略）が配設されており、冷却器で冷却された冷気は、商品陳列室２１の後側の側壁上部に設けられた冷気吹出口２５から吹出されて冷気エアカーテンを形成した後、前側の側壁上部に設けられた冷気吸込口２６から吸込まれ、送風機の作用でこの経路を循環する。
本実施の形態に係る補助陳列棚装置１は、例えば、商品陳列室２１内に２つ並列配置が可能な程度の大きさとする。また、本実施の形態では、折畳み状態の場合には、冷気エアカーテンで覆われた商品陳列室２１内の冷却領域に可動棚２が位置し、立上げ状態の場合には、冷気エアカーテンの形成位置よりも上方の非冷領域に可動棚２が位置することとしている。これにより、一方の補助陳列棚装置１を立上げ状態とした場合であっても、冷気エアカーテンの形成を妨げることは無いため、商品陳列室２１内を適切に冷却することが可能となる。
【００１０】
以下、作業者の操作に応じた可動棚２の昇降動作の詳細について、図３，４を用いて説明する。
下降位置（図３の閉支持位置）では、図４(ａ)に示すように、各ステー４，５の支持ピン８，８が案内溝１１，１１の係止溝部１１ａ，１１ａに位置している。
この状態において、作業者が可動棚２の中央側の操作孔２ａ，２ａに指又は所定の道具を引掛けて、可動棚２を図３に示す最大開位置まで持上げる。これにより、図４（ｂ）に示すように、各支持ピン８，８が案内溝１１，１１に沿って、案内溝１１，１１の後端部まで移動する。
この状態から、作業者が可動棚２を若干手前側に引くようにしつつ下ろすことにより、図４（ｃ）に示すように、各支持ピン８，８が案内溝１１，１１の後端側のラインに沿って、係止溝部１１ｂ，１１ｂまで移動する。
これにより、上昇位置（図３に示す開支持位置）で、可動棚２が支持されることとなる。この場合、各ステー４，５の連結位置を中間部よりも多少前側に設定することにより、可動棚２を多少傾斜させた状態で支持させることとしている。これにより、陳列した商品を見易くさせることが可能となる。
一方、上昇位置（図３に示す開支持位置）において、作業者が可動棚２の前端側の操作孔２ａ，２ａに指又は所定の道具を引掛けて、可動棚２を最大開位置まで持上げた後、そのまま下ろすことにより、各支持ピン８，８が案内溝１１，１１に沿って係支部１１ａ，１１ａまで移動するため、容易に下降位置とすることが可能となる。
【００１１】
以上のように、本実施の形態では、商品陳列室２１内に設置される補助陳列棚装置１として、可動棚２を支持する支持脚３の一端に設けた支持ピン８により、可動棚２下面及び商品陳列室２１の底板２１ａ上の双方の受け部材９，１０に設けた案内溝１１を摺動可能に構成するとともに、当該案内溝１１に形成した各係止溝部１１ａ，１１ｂにより、可動棚２を昇降可能に構成したので、簡易な作業により可動棚２を上昇位置で安定的に支持することが可能となる。また、支持脚３，３のみにより可動棚２を支持することが可能となるため、可動棚２を商品陳列室２１上方の非冷領域に支持した場合であっても、冷気エアカーテンの形成を妨げることが無くなる。
従って、商品の陳列量の変化又は催事的な販売形態等に対応したより適切な商品陳列が可能となる。
また、左右の支持脚３，３を、２本のステー４，５の中間部を連結軸により回動可能に連結して構成したので、垂直方向へ上昇させることが可能となり、商品陳列室２１の底板２１ａと略同程度の陳列スペースを確保することが可能となる。
また、支持脚３の支持ピン８を規制する案内溝１１を、受け部材９，１０に形成することとしたので、商品陳列室２１の底板２１ａを加工する必要が無くなり、既存のショーケースに対しても、そのまま設置して使用することが可能となる。
また、可動棚２に昇降操作を行う際に用いる操作孔を設けることとしたので、容易に昇降作業を行わせることが可能になるとともに、商品陳列室の側壁と可動棚との間に手等を差入れるための隙間を設ける必要が無くなり、可動棚２の陳列スペースを最大限に設定することが可能となる。
また、可動棚２の前端部にガード板２ｂを設けることとしたので、可動棚２の立上げ状態において、傾斜させて支持した場合であっても、商品の落下，転倒を適切に防止することが可能となる。
【００１２】
なお、本発明の補助陳列棚装置は、前記実施の形態に示すものに限られず、可動棚の大きさ，形状，開支持位置の高さ等は、ショーケースの商品陳列室に応じて種々に設定可能なものとする。また、各操作孔を設ける位置や、各ステーを軸支する位置，連結する位置等についても、可動棚が昇降可能な位置であれば種々に設定可能なものとする。この場合、操作孔は必ずしも中央及び前端側の双方に設ける必要は無く、どちらか一方のみとしてもよい。また、必ずしも各ステーを連結させる必要はない。
また、案内溝において、下降位置に対応する係止溝部は省略することとしてもよい。
また、可動棚側に設ける受け部材については、可動棚と一体的に形成することとしてもよい。
また、前記実施の形態では、閉支持位置と開支持位置との２段階の位置調整を可能としているが、３段階以上の位置調整を可能としてもよい。
【００１３】
このような場合の補助陳列棚装置の構成について、図５，６に基づき説明する。
図５は、３段階の位置調整を可能とした補助陳列棚装置における可動棚の動作を示す側面図、図６は図５の各状態における案内溝内の支持ピンの動作を示す図である。なお、各図において、前記実施の形態と同一の構成については、同一符号を付して説明を省略する。
図５，６に示すように、本実施の形態では、受け部材９，１０に代わる受け部材１２，１３として、案内溝１４，１４の前後両端に係止溝部１４ａ，１４ｂを形成するとともに、略中間位置に係止溝部１４ｃを形成したものを用いている。この場合、案内溝１４，１４の長さを、前記実施の形態に示す案内溝１１よりも長く形成することにより、立上げ状態での支持位置を高く設定している。
本実施の形態では、図５，図６（ａ），（ｃ）に示すように、下降位置（図５の閉支持位置）から上昇位置（図５の上段開支持位置）への位置の変更方法は、前記実施の形態における昇降動作と同様のものとなる。なお、図３に示す最大開位置に相当する状態については、図示を省略している。
本実施の形態では、中間位置（図５の中段開支持位置）への位置調整の場合には、作業者が図５に示す中段開支持位置よりもやや上方まで可動棚２を持上げた状態から、可動棚２を若干手前側に引くようにしつつ下ろすことにより、図６（ｂ）に示すように、各支持ピン８，８が案内溝１４，１４の係止溝部１４ｃ，１４ｃに移動して、中間位置での支持が可能となる。
本実施の形態に示すように、案内溝の係止溝部を複数形成することにより、多段階での支持位置の変更が可能となり、また、案内溝の長さを長く形成するだけで、より高い位置で可動棚を支持することが可能となる。
【図面の簡単な説明】
【００１４】
【図１】本発明の一実施の形態に係る補助陳列棚装置を示す斜視図である。
【図２】ショーケースの商品陳列室内に補助陳列棚装置を設置した状態を示す側断面図である。
【図３】補助陳列棚装置における可動棚の動作を示す側面図である。
【図４】図３の各状態における案内溝内の支持ピンの動作を示す図である。
【図５】本発明の他の実施の形態に係る補助陳列棚装置における可動棚の動作を示す側面図である。
【図６】図５の各状態における案内溝内の支持ピンの動作を示す図である。
【符号の説明】
【００１５】
１  補助陳列棚装置、２  可動棚、２ａ  操作孔、２ｂ  ガード板、３  支持脚、４，５  ステー、６，７，９，１０，１２，１３  受け部材、８  支持ピン、１１，１４  案内溝、１１ａ，１１ｂ，１４ａ〜１４ｃ  係止溝部。
【図１】
2005288036.tif 000003
【図２】
2005288036.tif 000004
【図３】
2005288036.tif 000005
【図４】
2005288036.tif 000006
【図５】
2005288036.tif 000007
【図６】
2005288036.tif 000008